(57)【要約】【課題】ズームレンズがカメラ本体から繰り出された状態でシステムが停止した場合でも、そのズームレンズを本体内に収納可能とする。【解決手段】システムリセットによりマイコン３５の動作が停止したとき、マイコン３５の制御に拠らずにハードウェア的にズームレンズをカメラ本体に収納するためのズーム強制収納回路４１を備える。このズーム強制収納回路４１は、トランジスタ４２、インバータ回路４３、ＯＲ回路４４、４５、抵抗Ｒ２などからなり、主制御回路であるマイコン３５の動作が停止したとき、ズームレンズがカメラ本体から繰り出された状態にあることを検知し、マイコン３５の動作状態に関係なく、ズームモータ電源回路３３、ズームモータドライバ３６に対して制御信号を発生することでズームレンズをカメラ本体内に収納する。【選択図】      図３
2005084311.tif 000002
【特許請求の範囲】
【請求項１】
カメラ本体に移動自在に設けられたズームレンズと、
このズームレンズを駆動する駆動手段と、
この駆動手段による前記ズームレンズの駆動を制御する主制御手段と、
この主制御手段の動作が停止したとき、前記ズームレンズが前記カメラ本体から繰り出された状態にあることを検知し、前記駆動手段に対してズーム駆動用の制御信号を発生して前記ズームレンズを前記カメラ本体内に強制的に収納するズーム強制収納手段と
を具備したことを特徴とする撮像装置。
【請求項２】
前記ズーム強制収納手段は、
前記主制御手段の動作が停止したときにオン動作するスイッチ手段と、
このスイッチ手段がオン状態にあるときに、前記ズームレンズが前記カメラ本体から繰り出されていることを示すズーム状態認識信号を出力する信号出力手段と、
この信号出力手段から出力されたズーム状態認識信号に基づいて、前記主制御手段の動作状態に関係なく、前記駆動手段に対してズーム駆動用の制御信号を発生する信号発生手段と
から構成されることを特徴とする請求項１記載の撮像装置。
【請求項３】
駆動源として電池を備えた撮像装置において、
カメラ本体にズーム自在に設けられたズームレンズと、
このズームレンズを駆動する駆動手段と、
前記電池を駆動源として、その電池電圧を前記駆動手段の駆動に必要な電圧レベルに変換して供給する電源供給手段と、
前記駆動手段による前記ズームレンズの駆動を制御する主制御手段と、
前記電池の電圧レベルを検出し、所定レベル以下になったときに前記主制御手段の動作を停止させしめる電池電圧検出手段と、
この電池電圧検出手段により前記主制御手段の動作が停止したとき、前記ズームレンズが前記カメラ本体から繰り出された状態にあることを検知し、前記電源供給手段に対して電源供給用の制御信号を発生すると共に、前記駆動手段に対してズーム駆動用の制御信号を発生して前記ズームレンズを前記カメラ本体内に強制的に収納するズーム強制収納手段と
を具備したことを特徴とする撮像装置。
【請求項４】
前記ズーム強制収納手段は、
前記主制御手段の動作が停止したときにオン動作するスイッチ手段と、
このスイッチ手段がオン状態にあるときに、前記ズームレンズが前記カメラ本体から繰り出されていることを示すズーム状態認識信号を出力する信号出力手段と、
この信号出力手段から出力されたズーム状態認識信号に基づいて、前記主制御手段の動作状態に関係なく、前記電源供給手段に対して電源供給用の制御信号を発生する第１の信号発生手段と、
前記信号出力手段から出力されたズーム状態認識信号に基づいて、前記主制御手段の動作状態に関係なく、前記駆動手段に対してズーム駆動用の制御信号を発生する第２の信号発生手段と
から構成されることを特徴とする請求項３記載の撮像装置。
【発明の詳細な説明】
【技術分野】
【０００１】
本発明は、例えばデジタルカメラなどの撮像装置に係り、特にズームレンズを備えた撮像装置において、システムリセット時におけるズームレンズの駆動方法に関するものである。
【背景技術】
【０００２】
デジタルカメラなどの撮像装置には、ズームレンズを光軸上に移動させることで、被写体との焦点距離を光学的に調節可能なものがある。通常、電源がＯＦＦしているときには、ズームレンズ（詳しくはズームレンズを支持しているレンズ鏡胴）がカメラ本体内に収納された状態にあり、そして、電源ＯＮに伴い、カメラ本体から繰り出されるようになっている。なお、ズームレンズ（レンズ鏡胴）をカメラ本体内に収納することを「沈胴」と言う。
【０００３】
このようなズームレンズを備えた撮像装置において、所定の条件に基づいてズームレンズを自動的にカメラ本体内に収納する技術が知られている。例えば特許文献１には、電池が内蔵されたフィルムパックを備えたカメラを対象として、そのフィルムパック内の全てのフィルムが撮影に使用されたとき、あるいは、フィルムパックを装填するドアが開いたときに、ズームレンズ（レンズ鏡胴）をカメラ本体内に自動収納することが開示されている。
【０００４】
しかしながら、前記特許文献１のような制御を含め、ズームレンズの制御はすべてマイコンで行われている。このため、例えばカメラの重負荷により電池電圧が急激に低下するなどしてマイコンにシステムリセットがかかると、マイコンからズームレンズに対する制御信号を出力できない状態となり、その結果、ズームレンズがカメラ本体から繰り出された状態のままで停止してしまうといった問題がある。
【０００５】
この様子を図４を参照して説明する。  
図４は従来のデジタルカメラに用いられていたズーム制御装置の回路構成を示す図であり、電池３１、スタンバイ電源回路３２、ズームモータ電源回路３３、電池電圧検出回路３４、マイコン（マイクロコンピュータ）３５、ズームモータドライバ３６、ズーム用モータ３７、ズームスイッチ３８、抵抗Ｒ１などから構成されている。
【０００６】
スタンバイ電源回路３２およびズームモータ電源回路３３は、電池３１を駆動源とした電源電圧を各部の駆動に必要な電圧レベルに変換して供給する。ズームモータドライバ３６はズームモータ電源回路３３から電源電圧の供給を受け、マイコン３５から出力されるズーム制御信号に基づいてズーム用モータ３７を駆動する。前記ズーム制御信号には、ズームレンズの繰り出しを指示するズーム繰り出し制御信号と、ズームレンズの沈胴を指示するズーム沈胴制御信号が含まれる。これらの制御信号はＨアクティブであり、「Ｈ」レベルのときに有効となる。
【０００７】
マイコン３５は、ズームスイッチ３８から出力されるズーム状態信号に基づいて現在のズーム状態を検知し、ズーム繰り出し制御信号またはズーム沈胴制御信号をズームモータドライバ３６に出力する。また、このマイコン３５は、ズームモータ電源回路３３に対してモータ電源制御信号を出力することにより、ズームモータ電源回路３３による電源供給を制御している。このモータ電源制御信号もＨアクティブであり、「Ｈ」レベルのときに有効となる。
【０００８】
ここで、ズームレンズが沈胴状態にあるとき、ズームスイッチ３８はオープンしており、マイコン３５には「Ｈ」レベルのズーム状態認識信号が入力される。この状態で例えば電源スイッチがＯＮすると、マイコン３５からズーム繰り出し制御信号がズームモータドライバ３６に出力される。これにより、ズーム用モータ３７が所定の方向に回転駆動されてズームレンズがカメラ本体から繰り出される。
【０００９】
一方、ズームレンズが繰出状態にあるとき、ズームスイッチ３８はクローズしており、マイコン３５には「Ｌ」レベルのズーム状態認識信号が入力される。この状態で例えば電源スイッチがＯＦＦすると、マイコン３５からズーム沈胴制御信号がズームモータドライバ３６に出力される。これにより、ズーム用モータ３７が逆方向に回転駆動されて、ズームレンズがカメラ本体内に収納される。
【００１０】
このように、通常はマイコン３５からズーム制御信号がズームモータドライバ３６に対して出力され、ズームレンズが繰出／沈胴制御される。ところが、ズームレンズが繰り出されている状態で、電池電圧が急激に低下した場合、電池電圧検出回路３４からマイコン３５に対してシステムリセット信号が出力される。これにより、マイコン３５の動作が停止し（つまりシステム停止状態となる）、ズーム沈胴制御信号が出力されずに、ズームレンズがカメラ本体から繰り出された状態のままとなる。
【特許文献１】特開平９−３４００３号公報
【発明の開示】
【発明が解決しようとする課題】
【００１１】
上述したように、従来、ズームレンズの制御はすべてマイコンで行われていたため、カメラの重負荷により電池電圧が急激に低下するなどしてシステム停止状態になると、マイコンの制御にてズームレンズを沈胴させることができず、ズームレンズがカメラ本体から繰り出された状態のままで停止してしまうといった問題があった。
【００１２】
本発明は前記のような点に鑑みなされたもので、ズームレンズがカメラ本体から繰り出された状態でシステムが停止した場合でも、そのズームレンズを本体内に収納することのできる撮像装置を提供することを目的とする。
【課題を解決するための手段】
【００１３】
本発明の撮像装置は、カメラ本体にズーム自在に設けられたズームレンズと、このズームレンズを駆動する駆動手段と、この駆動手段による前記ズームレンズの駆動を制御する主制御手段と、この主制御手段の動作が停止したとき、前記ズームレンズが前記カメラ本体から繰り出された状態にあることを検知し、前記駆動手段に対してズーム駆動用の制御信号を発生して前記ズームレンズを前記カメラ本体内に強制的に収納するズーム強制収納手段とを具備して構成される。
【００１４】
このような構成の撮像装置によれば、何らかの要因でシステムリセットがかかり、主制御手段の動作が停止したとしても、ズーム強制収納手段によりズームレンズの駆動手段に対してズーム駆動用の制御信号が発生されて、ズームレンズがカメラ本体内に強制的に収納される。
【００１５】
なお、前記ズーム強制収納手段は、前記主制御手段の動作が停止したときにオン動作するスイッチ手段と、このスイッチ手段がオン状態にあるときに、前記ズームレンズが前記カメラ本体から繰り出されていることを示すズーム状態認識信号を出力する信号出力手段と、この信号出力手段から出力されたズーム状態認識信号に基づいて、前記主制御手段の動作状態に関係なく、前記駆動手段に対してズーム駆動用の制御信号を発生する信号発生手段とから構成される。
【００１６】
また、本発明の撮像装置は、駆動源として電池を備えた撮像装置において、カメラ本体にズーム自在に設けられたズームレンズと、このズームレンズを駆動する駆動手段と、前記電池を駆動源として、その電池電圧を前記駆動手段の駆動に必要な電圧レベルに変換して供給する電源供給手段と、前記駆動手段による前記ズームレンズの駆動を制御する主制御手段と、前記電池の電圧レベルを検出し、所定レベル以下になったときに前記主制御手段の動作を停止させしめる電池電圧検出手段と、この電池電圧検出手段により前記主制御手段の動作が停止したとき、前記ズームレンズが前記カメラ本体から繰り出された状態にあることを検知し、前記電源供給手段に対して電源供給用の制御信号を発生すると共に、前記駆動手段に対してズーム駆動用の制御信号を発生して前記ズームレンズを前記カメラ本体内に強制的に収納するズーム強制収納手段とを具備して構成される。
【００１７】
このような構成の撮像装置によれば、電池を駆動源とした撮像装置において、その電池の電圧レベルが所定レベル以下になったときにシステムリセットがかかり、主制御手段の動作が停止する。その際、ズーム強制収納手段により、ズームレンズの電源供給手段に対して電源供給用の制御信号が発生され、また、ズームレンズの駆動手段に対してズーム駆動用の制御信号が発生されて、ズームレンズがカメラ本体内に強制的に収納される。
【００１８】
なお、前記ズーム強制収納手段は、前記主制御手段の動作が停止したときにオン動作するスイッチ手段と、このスイッチ手段がオン状態にあるときに、前記ズームレンズが前記カメラ本体から繰り出されていることを示すズーム状態認識信号を出力する信号出力手段と、この信号出力手段から出力されたズーム状態認識信号に基づいて、前記主制御手段の動作状態に関係なく、前記電源供給手段に対して電源供給用の制御信号を発生する第１の信号発生手段と、前記信号出力手段から出力されたズーム状態認識信号に基づいて、前記主制御手段の動作状態に関係なく、前記駆動手段に対してズーム駆動用の制御信号を発生する第２の信号発生手段とから構成される。
【発明の効果】
【００１９】
本発明によれば、ズームレンズを備えた撮像装置において、ズームレンズが繰り出された状態で、例えば電池電圧の低下などによりシステムリセットが発生し、マイコンが停止したとしても、そのマイコンの制御に拠らずに、ズームレンズをカメラ本体内に収納させることができる。よって、ズームレンズを繰り出したままで停止してしまう不具合を解消することができる。
【発明を実施するための最良の形態】
【００２０】
以下、図面を参照して本発明の実施形態を説明する。
【００２１】
図１及び図２は本発明の一実施形態に係る撮像装置としてズームレンズを備えたデジタルカメラを例にした場合の外観構成を示す斜視図であり、図１はこのデジタルカメラの使用時の状態（ズームレンズが繰り出された状態）、図２はこのデジタルカメラの未使用時の状態（ズームレンズが収納された状態）を示している。
【００２２】
図１に示すように、本実施形態におけるデジタルカメラ１０は、略矩形の薄板状からなるカメラ本体１１の前面に、ズームレンズ１２、セルフタイマランプ１３、光学ファインダ窓１４、マイクロホン部１５、ストロボ発光部１６、及びラバーグリップ１７が設けられている。また、カメラ本体１１の上面の一端側（ユーザにとって右端側）には、電源をＯＮ／ＯＦＦ操作するための電源キー１８と、撮影モード時に撮影タイミングを指示するためのシャッタキー１９が設けられている。
【００２３】
ラバーグリップ１７は、ユーザが撮影時にデジタルカメラ１０を右手で筐体右側面側から把持した場合に右手中指、薬指、及び小指が確実に該筐体を把持できるように配設されたゴム製の帯状突起である。
【００２４】
なお、ここでは特に図示していないが、このデジタルカメラ１０におけるカメラ本体１１の背面には、モードスイッチ、ズームキー、メニューキー、十字キー、セットキーといった各種操作キーの他に、スピーカ部、光学ファインダ、ストロボチャージランプ、表示部１７などが配設されている。
【００２５】
モードスイッチは、例えばスライドキースイッチにより構成され、基本モードである記録モード「Ｒ」と再生モード「Ｐ」とを切換えるためのキーである。ズームキーは、ズームレンズ１２をズーミング操作するためのキーである。また、メニューキーは各種メニュー項目等を選択操作するためのキー、十字キーは上下左右各方向へのカーソル移動用のキーが一体に形成されたものであり、表示されているメニュー項目等を移動させるためのキー、セットキーは前記十字キーの中心位置に配置され、その時点で選択されているメニュー項目内容等を設定するためのキーである。
【００２６】
ストロボチャージランプは、光学ファインダに近接して配設されたＬＥＤランプからなり、ユーザが光学ファインダを覗いている場合と表示部を見ている場合のいずれであってもストロボのチャージ状態等をユーザに視認させる。表示部は、バックライト付きのカラー液晶パネルで構成されるもので、記録モード時（撮影時）には電子ファインダとしてスルー画像のモニタ表示を行なう一方で、再生モード時には選択した画像等を再生表示する。
【００２７】
さらに、図示はしないがカメラ本体１１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられている。
【００２８】
このような構成のデジタルカメラ１０において、カメラ本体１１の正面に設けられたズームレンズ１２は、３段構成のレンズ鏡胴２０ａ、２０ｂ、２０ｃによって支持されており、これらの伸縮動作により光軸上を自在に移動させられるように取り付けられている。
【００２９】
カメラ未使用時つまり電源がＯＦＦしている状態では、図２に示すように、レンズ鏡胴２０ａ、２０ｂ、２０ｃがカメラ本体１１内に収納されており、それに伴いズームレンズ１２もカメラ本体１１内にある。これを「沈胴状態」と呼ぶ。また、ズームレンズ１２がカメラ本体１１内にあるときには、その先端部がシャッタ２１によって覆われるようになっている。
【００３０】
一方、カメラ使用時つまり電源がＯＮしている状態では、図１に示すように、レンズ鏡胴２０ａ、２０ｂ、２０ｃがカメラ本体１１から繰り出され、それに伴いズームレンズ１２もカメラ本体１１から繰り出されている。これを「繰出状態」と呼ぶ。この状態で、図示せぬズームキーが操作されると、そのズームキーの操作に連動してレンズ鏡胴２０ａ、２０ｂ、２０ｃが段階的に伸縮動作し、これに伴いズームレンズ１２が光軸上を移動して焦点距離が調節される。
【００３１】
次に、このデジタルカメラ１０に用いられるズーム制御装置について説明する。  
図３は同実施形態におけるデジタルカメラ１０に用いられるズーム制御装置の回路構成を示す図であり、図４に示した従来の装置構成と同じ部分には同一符号を付して示してある。
【００３２】
すなわち、このデジタルカメラ１０に用いられるズーム制御装置は、従来と同様に、電池３１、スタンバイ電源回路３２、ズームモータ電源回路３３、電池電圧検出回路３４、マイコン（マイクロコンピュータ）３５、ズームモータドライバ３６、ズーム用モータ３７、ズームスイッチ３８、抵抗Ｒ１を備える。
【００３３】
電池３１は、デジタルカメラ１０の駆動源として用いられ、例えば電池パックとしてカメラ本体１１に着脱自在に装着される。スタンバイ電源回路３２およびズームモータ電源回路３３は、この電池３１の電源電圧を各部の駆動に必要な電圧レベルに変換して供給する。電池電圧検出回路３４は、電池３１の電圧レベルを監視しており、その電池電圧が所定レベル以下になったことを検出したときにシステムリセット信号をマイコン３５に出力する。
【００３４】
マイコン３５は、主制御回路としてカメラ全体の制御を行うものである。このマイコン３５は、ズームスイッチ３８から出力されるズーム状態信号に基づいて現在のズーム状態を検知し、ズーム制御信号としてズーム繰り出し制御信号またはズーム沈胴制御信号をズームモータドライバ３６に出力する。これらの制御信号はＨアクティブであり、「Ｈ」レベルのときに有効となる。また、このマイコン３５は、ズームモータ電源回路３３に対してモータ電源制御信号を出力することにより、ズームモータ電源回路３３による電源供給を制御している。このモータ電源制御信号もＨアクティブであり、「Ｈ」レベルのときに有効となる。
【００３５】
ズームモータドライバ３６は、ズーム用モータ３７の駆動回路であり、ズームモータ電源回路３３から電源電圧の供給を受けた状態で、マイコン３５から出力されるズーム繰り出し制御信号またはズーム沈胴制御信号に基づいてズーム用モータ３７の回転駆動する。このズーム用モータ３７の回転駆動に伴い、レンズ鏡胴２０ａ、２０ｂ、２０ｃが伸縮動作し、ズームレンズ１２が繰出位置（図１参照）または収納位置（図２参照）に移動することになる。
【００３６】
ズームスイッチ３８は、ズームレンズ１２の状態を示すスイッチであり、ズームレンズ１２が沈胴状態のときに“オープン”、ズームレンズ１２が繰出状態のときに“クローズ”となる。
【００３７】
このような構成において、通常は、マイコン３５の制御の下で、電源ＯＮ／ＯＦＦなどの所定の条件に基づき、ズーム繰り出し制御信号またはズーム沈胴制御信号がズームモータドライバ３６に対して出力され、ズームレンズ１２がカメラ本体１１から繰り出されたり、カメラ本体１１内に収納される。このようなマイコン３５による制御では、重負荷により電池電圧が急激に低下した場合にシステムリセットがかかり、ズームレンズ１２が繰り出されたままでマイコン３５の動作が停止してしまうことになる。
【００３８】
しかし、システムが停止した後は重負荷がなくなるので、電池電圧が復帰し、ズームレンズ１２を収納する位の電力を使うことができる。そこで、本実施形態におけるズーム制御装置には、ズームレンズ１２が繰り出されている状態でシステムリセットが発生した場合に、マイコン３５の制御に拠らずに、ズームレンズ１２をカメラ本体１１内に収納するためのハードウェアとしてズーム強制収納回路４１が組み込まれている。
【００３９】
このズーム強制収納回路４１は、トランジスタ４２、インバータ回路４３、ＯＲ回路４４、４５、抵抗Ｒ２などからなり、主制御回路であるマイコン３５の動作が停止したときに、ズームレンズ１２がカメラ本体１１から繰り出された状態にあることを検知し、マイコン３５の動作状態に関係なく、ズームモータ電源回路３３およびズームモータドライバ３６に対して制御信号を発生することで、ズームレンズ１２をカメラ本体１１内に収納する。
【００４０】
前記ズーム強制収納回路４１の中のトランジスタ４２は、マイコン３５に接続されており、マイコン３５の動作が停止したときに発生するリセット発生状態認識信号によってオン動作するスイッチング回路として用いられる。
【００４１】
インバータ回路４３は、ズームスイッチ３８に接続されており、トランジスタ４２がオン状態にあるときに機能し、ズームスイッチ３８からのズーム状態認識信号をレベル反転して出力する信号出力回路として用いられる。このインバータ回路４３から出力されたズーム状態認識信号は、ＯＲ回路４４およびＯＲ回路４５のそれぞれに出力される。この場合、「Ｌ」レベルのときにズームレンズ１２の沈胴状態、「Ｈ」レベルのときにズームレンズ１２の繰出状態を示す。
【００４２】
ＯＲ回路４４は、モータ電源駆動用の信号発生回路としてマイコン３５とズームモータ電源回路３３との間に介在され、マイコン３５から出力されるモータ電源制御信号（Ｈアクティブ）とインバータ回路４３から出力されるズーム状態認識信号を入力とし、その両者の論理和を取ってズームモータ電源回路３３に出力する。
【００４３】
ＯＲ回路４５は、ドライバ駆動用の信号発生回路としてマイコン３５とズームモータドライバ３６との間に介在され、マイコン３５から出力されるズーム沈胴制御信号（Ｈアクティブ）とインバータ回路４３から出力されるズーム状態認識信号を入力とし、その両者の論理和を取ってズームモータドライバ３６に出力する。
【００４４】
従って、システム停止状態などの異常な動作状態ではない通常の動作状態のときには、このＯＲ回路４４、４５の機能によって、インバータ回路４３から出力されるズーム状態認識信号にかかわらず、マイコン３５からのモータ電源制御信号とズーム沈胴制御信号が「Ｈ」レベルになると、それぞれズームモータ電源回路３３あるいはズームモータドライバ３６に制御信号を与えることができるようになっている。
【００４５】
また、以下に、重負荷が発生する等によりシステム停止状態に陥ってしまった場合におけるこのような構成のズーム強制収納回路４１を備えたズーム制御装置の動作について説明する。
【００４６】
まず、重負荷の発生時に電池３１の電圧が電池電圧検出回路３４によってモニタリングされ、その電池電圧が所定レベル以下であった場合にシステムリセット信号がマイコン３５に入力される。これにより、マイコン３５の動作が停止し、システム停止状態に移行する。
【００４７】
このとき、リセット発生状態認識信号がアクティブになり、トランジスタ４２がオンしてインバータ回路４３が機能する。その際、ズームレンズ１２がカメラ本体１１から繰り出された状態にあれば、ズームスイッチ３８はクローズしており、インバータ回路４３を介して「Ｈ」レベルのズーム状態認識信号がズームモータ電源回路３３に接続されたＯＲ回路４４に入力される。したがって、マイコン３５の動作状態に関係なく、ＯＲ回路４４からモータ電源駆動用の制御信号をズームモータ電源回路３３に与えることができ、電池３１に現在残っている電力を利用して、ズームモータドライバ３６に電源供給を行うことができる。
【００４８】
一方、前記「Ｈ」レベルのズーム状態認識信号は、ズームモータドライバ３６に接続されたＯＲ回路４５にも入力されているので、前記同様にマイコン３５の動作状態に関係なく、ＯＲ回路４５からズーム沈胴用の制御信号をズームモータドライバ３６に与えてズーム用モータ３７を駆動してズームレンズ１２をカメラ本体１１内に収納することができる。ズームレンズ収納後、ズームスイッチ３８がオープンするので、双方の信号はネゲートされる。
【００４９】
このように、ズームレンズ１２が繰り出された状態で、電池電圧の低下によりシステムリセットがかかり、システム（マイコン３５）が停止したとしても、ズーム強制収納回路４１によりハードウェア的にズームレンズ１２をカメラ本体１１内に収納させることができ、従来のようにズームレンズ１２を繰り出したままで停止してしまう不具合を解消することができる。
【００５０】
なお、前記実施形態では、電池電圧の急激な低下によりシステムリセットがかかった場合を想定した説明したが、電池電圧の低下に限らず、何らかの要因でシステムリセットがかかり、マイコン３５の動作が停止した場合でも前記同様にズーム強制収納回路４１を用いてズームレンズ１２を収納することができる。
【００５１】
また、前記実施形態では、デジタルカメラを例にして説明したが、例えばビデオカメラや、カメラ付き携帯電話などであっても、ズームレンズを備えたものであれば、その全ての電子機器に本発明を適用することができる。
【００５２】
要するに、本発明は前記実施形態に限定されるものではなく、実施段階ではその要旨を逸脱しない範囲で種々に変形することが可能である。更に、前記実施形態には種々の段階の発明が含まれており、開示される複数の構成要件における適宜な組み合わせにより種々の発明が抽出され得る。例えば、実施形態で示される全構成要件から幾つかの構成要件が削除されても、「発明が解決しようとする課題」で述べた効果が解決でき、「発明の効果」の欄で述べられている効果が得られる場合には、この構成要件が削除された構成が発明として抽出され得る。
【図面の簡単な説明】
【００５３】
【図１】本発明の一実施形態に係る撮像装置としてズームレンズを備えたデジタルカメラを例にした場合の外観構成を示す斜視図であり、カメラ使用時の状態（ズームレンズが繰り出された状態）を示す斜視図。
【図２】前記ズームレンズを備えたデジタルカメラの未使用時の状態（ズームレンズが収納された状態）を示す斜視図。
【図３】同実施形態におけるデジタルカメラに用いられるズーム制御装置の回路構成を示す図。
【図４】従来のデジタルカメラに用いられていたズーム制御装置の回路構成を示す図。
【符号の説明】
【００５４】
１１…デジタルカメラ、１２…ズームレンズ、１３…セルフタイマランプ、１４…光学ファインダ窓、１５…マイクロホン部、１６…ストロボ発光部、１７…ラバーグリップ、１８…電源キー、１９…シャッタキー、２０ａ〜２０ｃ…レンズ鏡胴、２１…シャッタ、３１…電池、３２…スタンバイ電源回路、３３…ズームモータ電源回路、３４…電池電圧検出回路、３５…マイコン（主制御回路）、３６…ズームモータドライバ、３７…ズーム用モータ、３８…ズームスイッチ、４１…ズーム強制収納回路、４２…トランジスタ、４３…インバータ回路、４４…ＯＲ回路、４５…ＯＲ回路。
【図１】
2005084311.tif 000003
【図２】
2005084311.tif 000004
【図３】
2005084311.tif 000005
【図４】
2005084311.tif 000006